(57)【要約】【課題】警備領域に対して警備モードを切替える際に生じる誤報を防止するセキュリティキーボックス装置、警備装置、扉制御方法および扉制御プログラムを提供する。【解決手段】カード情報取得部１０２は、ＩＤカードからカード識別情報を取得し、異常判定部１０４は、識別情報データベース１５０から、カード識別情報に対応付けて記憶されているセンサ識別情報を取得し、センサ識別情報に対応するセンサの検知情報が受信されたか否かを判定し、小扉制御部１０９は、検知情報が受信されたと判定された場合に、セキュリティキーボックス装置の内部に設置され、センサから検知情報を受信した際に監視センタに警報を送信しない警備解除状態から、センサから検知情報を受信した際に監視センタに警報を送信する警備状態への切替指示が可能な警備モード切替指示部１１２を覆い、開錠および施錠が可能な扉の施錠状態を維持する。【選択図】        図１
2007272386.tif 000002
【特許請求の範囲】
【請求項１】
警備領域でセンサから検知情報を受信した場合にセンサから検知情報を受信した旨を示す警報をネットワークに接続された監視センタに送信する警備装置に対して、前記警備領域に対する警備の切替を指示するセキュリティキーボックス装置において、
携帯型記憶媒体に記憶された媒体識別情報と、前記警備領域に設置されたセンサを識別するセンサ識別情報と、を対応付けて記憶する識別情報記憶手段と、
前記携帯型記憶媒体から前記媒体識別情報を取得する媒体情報取得手段と、
前記識別情報記憶手段から、前記媒体情報取得手段によって取得された前記媒体識別情報に対応付けて記憶されている前記センサ識別情報を取得し、取得された前記センサ識別情報に対応するセンサの検知情報が受信されたか否かを判定する異常判定手段と、
開錠および施錠が可能な扉と、
前記セキュリティキーボックス装置の内部に前記扉によって覆われて設置され、センサから検知情報を受信した際に前記監視センタに警報を送信しない警備解除状態から、センサから検知情報を受信した際に前記監視センタに警報を送信する警備状態への切替指示が可能な切替指示手段と、
前記異常判定手段によって前記検知情報が受信されたと判定された場合に、前記扉の施錠状態を維持する扉制御手段と、
を備えることを特徴とするセキュリティキーボックス装置。
【請求項２】
前記識別情報記憶手段は、さらに前記媒体識別情報に対応付けて、複数の警備領域それぞれに対応する前記扉を識別する扉識別情報を記憶し、
前記扉制御手段は、前記異常判定手段によって前記検知情報が受信されたと判定された場合に、前記識別情報記憶手段から、前記媒体識別情報に対応付けて記憶されている前記扉識別情報を取得し、前記扉識別情報に対応する前記扉の施錠状態を維持すること、を特徴とする請求項１に記載のセキュリティキーボックス装置。
【請求項３】
前記扉制御手段は、さらに前記異常判定手段によって前記検知情報が受信されていないと判定した場合に、前記扉を開錠すること、を特徴とする請求項１または請求項２に記載のセキュリティキーボックス装置。
【請求項４】
前記異常判定手段によって前記検知情報が受信されたと判定された場合に、警告を示す音声メッセージを出力する音声出力制御手段、をさらに備えることを特徴とする請求項１〜３のいずれか一つに記載のセキュリティキーボックス装置。
【請求項５】
前記異常判定手段によって前記検知情報が受信されたと判定された場合に、警告を示す表示メッセージを出力する表示制御手段、をさらに備えることを特徴とする請求項１〜４のいずれか一つに記載のセキュリティキーボックス装置。
【請求項６】
警備領域でセンサから検知情報を受信した場合にセンサから検知情報を受信した旨を示す警報をネットワークに接続された監視センタに送信する警備装置において、
携帯型記憶媒体に記憶された媒体識別情報と、前記警備領域に設置されたセンサを識別するセンサ識別情報と、を対応付けて記憶する識別情報記憶手段と、
前記携帯型記憶媒体から前記媒体識別情報を取得する媒体情報取得手段と、
前記識別情報記憶手段から、前記媒体情報取得手段によって取得された前記媒体識別情報に対応付けて記憶されている前記センサ識別情報を取得し、取得された前記センサ識別情報に対応するセンサの検知情報が受信されたか否かを判定する異常判定手段と、
開錠および施錠が可能な扉と、
前記セキュリティキーボックス装置の内部に前記扉によって覆われて設置され、センサから検知情報を受信した際に前記監視センタに警報を送信しない警備解除状態から、センサから検知情報を受信した際に前記監視センタに警報を送信する警備状態への切替指示が可能な切替指示手段と、
前記異常判定手段によって前記検知情報が受信されたと判定された場合に、前記扉の施錠状態を維持する扉制御手段と、
を備えることを特徴とする警備装置。
【請求項７】
警備領域でセンサから検知情報を受信した場合にセンサから検知情報を受信した旨を示す警報をネットワークに接続された監視センタに送信する警備装置に対して、前記警備領域に対する警備モードの切替を指示するセキュリティキーボックス装置の扉制御方法において、
携帯型記憶媒体から媒体識別情報を取得する媒体情報取得ステップと、
前記携帯型記憶媒体に記憶された媒体識別情報と、前記警備領域に設置されたセンサを識別するセンサ識別情報と、を対応付けて記憶する識別情報記憶手段から、前記媒体情報取得ステップによって取得された前記媒体識別情報に対応付けて記憶されている前記センサ識別情報を取得し、取得された前記センサ識別情報に対応するセンサの検知情報が受信されたか否かを判定する異常判定ステップと、
前記異常判定ステップによって前記検知情報が受信されたと判定された場合に、前記セキュリティキーボックス装置の内部に設置され、センサから検知情報を受信した際に前記監視センタに警報を送信しない警備解除状態から、センサから検知情報を受信した際に前記監視センタに警報を送信する警備状態への切替指示が可能な切替指示手段を覆い、開錠および施錠が可能な扉の施錠状態を維持する扉制御ステップと、
を有することを特徴とする扉制御方法。
【請求項８】
請求項７に記載された扉制御方法をコンピュータに実行させることを特徴とする扉制御プログラム。
【発明の詳細な説明】
【技術分野】
【０００１】
本発明は、セキュリティキーボックス装置、警備装置、扉制御方法および扉制御プログラムに関するものであり、特に警備モードを切替える際の誤報の防止に関するものである。
【背景技術】
【０００２】
従来、警備切替鍵により警備状態を設定するとともに、その鍵と建物内のテナントや部屋の出入口を施錠する鍵を同時に保管するセキュリティキーボックス装置が一般に知られている。かかるセキュリティキーボックス装置は、退場者が誤って鍵を持ち帰ってしまうと、警備状態を設定することができないという問題があった。
【０００３】
このような問題を解決するものとして、センサが異常を検知しなくなってから所定の時間が経過すると、自動的に警備状態に切替えるセキュリティキーボックス装置が開示されている（特許文献１参照）。
【０００４】
【特許文献１】特開平５−１８２０９２号公報
【発明の開示】
【発明が解決しようとする課題】
【０００５】
しかしながら、上記特許文献１に記載された技術では、セキュリティキーボックス装置によって退場者があるテナントに対して警備状態を設定した際に、テナント内の窓が開いていて、センサが異常を検知した場合は、監視センタに警報が送信され、誤報となってしまうという問題があった。このような場合、警備会社は誤報と確認できるまで警報に対する対応、例えば警備員の派遣や確認作業などが必要となり、人的負担や費用の負担が大きかった。
【０００６】
本発明は、上記に鑑みてなされたものであって、警備領域に対して警備モードを切替える際に生じる誤報を防止するセキュリティキーボックス装置、警備装置、扉制御方法および扉制御プログラムを提供することを目的とする。
【課題を解決するための手段】
【０００７】
上述した課題を解決し、目的を達成するために、請求項１にかかる発明は、警備領域でセンサから検知情報を受信した場合にセンサから検知情報を受信した旨を示す警報をネットワークに接続された監視センタに送信する警備装置に対して、前記警備領域に対する警備の切替を指示するセキュリティキーボックス装置において、携帯型記憶媒体に記憶された媒体識別情報と、前記警備領域に設置されたセンサを識別するセンサ識別情報と、を対応付けて記憶する識別情報記憶手段と、前記携帯型記憶媒体から前記媒体識別情報を取得する媒体情報取得手段と、前記識別情報記憶手段から、前記媒体情報取得手段によって取得された前記媒体識別情報に対応付けて記憶されている前記センサ識別情報を取得し、取得された前記センサ識別情報に対応するセンサの検知情報が受信されたか否かを判定する異常判定手段と、開錠および施錠が可能な扉と、前記セキュリティキーボックス装置の内部に前記扉によって覆われて設置され、センサから検知情報を受信した際に前記監視センタに警報を送信しない警備解除状態から、センサから検知情報を受信した際に前記監視センタに警報を送信する警備状態への切替指示が可能な切替指示手段と、前記異常判定手段によって前記検知情報が受信されたと判定された場合に、前記扉の施錠状態を維持する扉制御手段と、を備えることを特徴とする。
【０００８】
また、請求項２にかかる発明は、請求項１に記載のセキュリティキーボックス装置において、前記識別情報記憶手段は、さらに前記媒体識別情報に対応付けて、複数の警備領域それぞれに対応する前記扉を識別する扉識別情報を記憶し、前記扉制御手段は、前記異常判定手段によって前記検知情報が受信されたと判定された場合に、前記識別情報記憶手段から、前記媒体識別情報に対応付けて記憶されている前記扉識別情報を取得し、前記扉識別情報に対応する前記扉の施錠状態を維持すること、を特徴とする。
【０００９】
また、請求項３にかかる発明は、請求項１または請求項２に記載のセキュリティキーボックス装置において、前記扉制御手段は、さらに前記異常判定手段によって前記検知情報が受信されていないと判定した場合に、前記扉を開錠すること、を特徴とする。
【００１０】
また、請求項４にかかる発明は、請求項１〜３のいずれか一つに記載のセキュリティキーボックス装置において、前記異常判定手段によって前記検知情報が受信されたと判定された場合に、警告を示す音声メッセージを出力する音声出力制御手段、をさらに備えることを特徴とする。
【００１１】
また、請求項５にかかる発明は、請求項１〜４のいずれか一つに記載のセキュリティキーボックス装置において、前記異常判定手段によって前記検知情報が受信されたと判定された場合に、警告を示す表示メッセージを出力する表示制御手段、をさらに備えることを特徴とする。
【００１２】
また、請求項６にかかる発明は、警備領域でセンサから検知情報を受信した場合にセンサから検知情報を受信した旨を示す警報をネットワークに接続された監視センタに送信する警備装置において、携帯型記憶媒体に記憶された媒体識別情報と、前記警備領域に設置されたセンサを識別するセンサ識別情報と、を対応付けて記憶する識別情報記憶手段と、前記携帯型記憶媒体から前記媒体識別情報を取得する媒体情報取得手段と、前記識別情報記憶手段から、前記媒体情報取得手段によって取得された前記媒体識別情報に対応付けて記憶されている前記センサ識別情報を取得し、取得された前記センサ識別情報に対応するセンサの検知情報が受信されたか否かを判定する異常判定手段と、開錠および施錠が可能な扉と、前記セキュリティキーボックス装置の内部に前記扉によって覆われて設置され、センサから検知情報を受信した際に前記監視センタに警報を送信しない警備解除状態から、センサから検知情報を受信した際に前記監視センタに警報を送信する警備状態への切替指示が可能な切替指示手段と、前記異常判定手段によって前記検知情報が受信されたと判定された場合に、前記扉の施錠状態を維持する扉制御手段と、を備えることを特徴とする。
【００１３】
また、請求項７にかかる発明は、警備領域でセンサから検知情報を受信した場合にセンサから検知情報を受信した旨を示す警報をネットワークに接続された監視センタに送信する警備装置に対して、前記警備領域に対する警備モードの切替を指示するセキュリティキーボックス装置の扉制御方法において、携帯型記憶媒体から媒体識別情報を取得する媒体情報取得ステップと、前記携帯型記憶媒体に記憶された媒体識別情報と、前記警備領域に設置されたセンサを識別するセンサ識別情報と、を対応付けて記憶する識別情報記憶手段から、前記媒体情報取得ステップによって取得された前記媒体識別情報に対応付けて記憶されている前記センサ識別情報を取得し、取得された前記センサ識別情報に対応するセンサの検知情報が受信されたか否かを判定する異常判定ステップと、前記異常判定ステップによって前記検知情報が受信されたと判定された場合に、前記セキュリティキーボックス装置の内部に設置され、センサから検知情報を受信した際に前記監視センタに警報を送信しない警備解除状態から、センサから検知情報を受信した際に前記監視センタに警報を送信する警備状態への切替指示が可能な切替指示手段を覆い、開錠および施錠が可能な扉の施錠状態を維持する扉制御ステップと、を有することを特徴とする。
【００１４】
また、請求項８にかかる発明は、請求項７に記載された扉制御方法をコンピュータに実行させることを特徴とする。
【発明の効果】
【００１５】
請求項１にかかる発明によれば、媒体情報取得手段によって、携帯型記憶媒体から媒体識別情報を取得し、異常判定手段によって、携帯型記憶媒体に記憶された媒体識別情報と、警備領域に設置されたセンサを識別するセンサ識別情報と、を対応付けて記憶する識別情報記憶手段から、媒体情報取得手段によって取得された媒体識別情報に対応付けて記憶されているセンサ識別情報を取得し、取得されたセンサ識別情報に対応するセンサの検知情報が受信されたか否かを判定し、扉制御手段によって、異常判定手段によって検知情報が受信されたと判定された場合に、セキュリティキーボックス装置の内部に設置され、センサから検知情報を受信した際に監視センタに警報を送信しない警備解除状態から、センサから検知情報を受信した際に監視センタに警報を送信する警備状態への切替指示が可能な切替指示手段を覆い、開錠および施錠が可能な扉の施錠状態を維持することにより、警備エリア内に設置されているセンサが異常を検知している場合は、切替指示部の扉が開かず、警備状態に切替えることができないため、警備を開始する時点での窓の閉め忘れなどによる誤報を防止することができるという効果を奏する。
【００１６】
また、請求項２にかかる発明によれば、扉制御手段は、異常判定手段によって検知情報が受信されたと判定された場合に、媒体識別情報に対応付けて、複数の警備領域それぞれに対応する扉を識別する扉識別情報を記憶する識別情報記憶手段から、媒体識別情報に対応付けて記憶されている扉識別情報を取得し、扉識別情報に対応する扉の施錠状態を維持することにより、複数の警備エリアが設定され、ある警備エリアの警備モードを切替える際に当該警備エリアに設置されているセンサが異常を検知している場合は、当該警備エリアに対応する切替指示部の扉が開かず、警備状態に切替えることができないため、警備を開始する時点での誤報を防止することができるという効果を奏する。
【００１７】
また、請求項３にかかる発明によれば、扉制御手段は、さらに異常判定手段によって検知情報が受信されていないと判定した場合に、扉を開錠することにより、警備エリア内に設置されているセンサが異常を検知していない場合は、切替指示部の扉が開放され、警備状態に切替えることができるため、警備を開始する時点で誤報を送信することなく、警備状態への切替をおこなうことができるという効果を奏する。
【００１８】
また、請求項４にかかる発明によれば、音声出力制御手段によって、異常判定手段によって検知情報が受信されたと判定された場合に、警告を示す音声メッセージを出力することにより、警備エリア内のセンサが異常を検知している場合に、警告が音声で出力されるため、警備状態に切替えることができない状況を的確に把握でき、利用者の負担を軽減することができるという効果を奏する。
【００１９】
また、請求項５にかかる発明によれば、表示制御手段によって、異常判定手段によって検知情報が受信されたと判定された場合に、警告を示す表示メッセージを出力することにより、警備エリア内のセンサが異常を検知している場合に、警告が表示メッセージで出力されるため、警備状態に切替えることができない状況を的確に把握でき、利用者の負担を軽減することができるという効果を奏する。
【００２０】
また、請求項６にかかる発明によれば、媒体情報取得手段によって、携帯型記憶媒体から媒体識別情報を取得し、異常判定手段によって、携帯型記憶媒体に記憶された媒体識別情報と、警備領域に設置されたセンサを識別するセンサ識別情報と、を対応付けて記憶する識別情報記憶手段から、媒体情報取得手段によって取得された媒体識別情報に対応付けて記憶されているセンサ識別情報を取得し、取得されたセンサ識別情報に対応するセンサの検知情報が受信されたか否かを判定し、扉制御手段によって、異常判定手段によって検知情報が受信されたと判定された場合に、セキュリティキーボックス装置の内部に設置され、センサから検知情報を受信した際に監視センタに警報を送信しない警備解除状態から、センサから検知情報を受信した際に監視センタに警報を送信する警備状態への切替指示が可能な切替指示手段を覆い、開錠および施錠が可能な扉の施錠状態を維持することにより、警備エリア内に設置されているセンサが異常を検知している場合は、切替指示部の扉が開かず、警備状態に切替えることができないため、警備を開始する時点での窓の閉め忘れなどによる誤報を防止することができるという効果を奏する。
【００２１】
また、請求項７にかかる発明によれば、媒体情報取得ステップによって、携帯型記憶媒体から媒体識別情報を取得し、異常判定ステップによって、携帯型記憶媒体に記憶された媒体識別情報と、警備領域に設置されたセンサを識別するセンサ識別情報と、を対応付けて記憶する識別情報記憶手段から、媒体情報取得ステップによって取得された媒体識別情報に対応付けて記憶されているセンサ識別情報を取得し、取得されたセンサ識別情報に対応するセンサの検知情報が受信されたか否かを判定し、扉制御ステップによって、異常判定ステップによって検知情報が受信されたと判定された場合に、セキュリティキーボックス装置の内部に設置され、センサから検知情報を受信した際に監視センタに警報を送信しない警備解除状態から、センサから検知情報を受信した際に監視センタに警報を送信する警備状態への切替指示が可能な切替指示手段を覆い、開錠および施錠が可能な扉の施錠状態を維持することにより、警備エリア内に設置されているセンサが異常を検知している場合は、切替指示部の扉が開かず、警備状態に切替えることができないため、警備を開始する時点での窓の閉め忘れなどによる誤報を防止することができるという効果を奏する。
【００２２】
また、請求項８にかかる発明によれば、請求項７に記載された扉制御方法をコンピュータに実行させることにより、警備エリア内に設置されているセンサが異常を検知している場合は、切替指示部の扉が開かず、警備状態に切替えることができないため、警備を開始する時点での窓の閉め忘れなどによる誤報を防止することができるという効果を奏する。
【発明を実施するための最良の形態】
【００２３】
以下に添付図面を参照して、本発明にかかるセキュリティキーボックス装置、警備装置、扉制御方法および扉制御プログラムの最良な実施の形態を詳細に説明する。なお、本発明はこれらの実施の形態に限定されるものではない。
【００２４】
本実施の形態について、添付図面を参照して説明する。本実施の形態にかかるセキュリティキーボックス装置は、警備モードを切替える際に、警備エリア内のセンサが異常を検知している場合には、警備解除状態から警備状態に切替えられないように制御するものである。なお、セキュリティキーボックス装置とは、警備モード切替鍵によって警備状態または警備解除状態を切替えるとともに、警備モード切替鍵と警備エリアの出入口鍵を同時に収納することができる鍵収納庫である。
【００２５】
ここで、警備エリアとは、例えば建物内で複数のテナントなどが存在する場合の１つのテナントのように建物の中でさらに区切られた警備対象の領域をいう。警備エリアは、その領域単位で出入口を施錠することができ、その領域単位で警備状態と警備解除状態との切替を行うことができる。警備状態とは、センサによって異常を検知したときに発せられる検知情報を警備装置が受信した場合に、センサから検知情報を受信した、すなわち異常を知らせる警報を監視センタに送信する状態をいい、警備解除状態とは、警備装置がセンサから検知情報を受信した場合でも監視センタへの警報を送信しない状態をいう。
【００２６】
警備モード切替鍵とは、警備エリアごとの警備モードを警備状態から警備解除状態に切替える、または警備解除状態から警備状態に切替える際に用いるものである。例えば、警備モード切替鍵はＩＣ（Integrated Circuit）タグや鍵などである。
【００２７】
まず、本発明が適用されるセキュリティキーボックス装置の構成例について説明する。図１は、本実施の形態にかかるセキュリティキーボックス装置を含む監視システムの構成を示すブロック図である。本実施の形態にかかる監視システム１０は、セキュリティキーボックス装置１００と、警備装置２００と、監視センタ３００と、から構成されている。セキュリティキーボックス装置１００と警備装置２００とは通信線を介して接続され、警備装置２００と監視センタ３００とは電話回線、無線ネットワーク、インターネットなどのネットワーク４００を介して接続されている。
【００２８】
本実施の形態にかかるセキュリティキーボックス装置１００は、カードリーダ１０１と、カード情報取得部１０２と、検知情報受信部１０３と、異常判定部１０４と、音声出力制御部１０５と、音声出力部１０６と、表示制御部１０７と、表示部１０８と、小扉制御部１０９と、小扉部１１０と、警備モード切替指示取得部１１１と、警備モード切替指示部１１２と、警備モード切替指示送信部１１３と、識別情報データベース１５０と、を備えている。
【００２９】
識別情報データベース１５０は、ＩＤカードのカード識別情報それぞれに対応する警備エリア内のセンサ、セキュリティキーボックス装置の小扉、および警備エリアを規定する。図２は、識別情報データベースのデータ構成の一例を示す説明図である。識別情報データベース１５０は、カード識別情報と、センサ識別情報と、小扉識別情報と、警備エリア識別情報と、を対応付けて記憶している。
【００３０】
カードリーダ１０１は、警備エリアの管理者が所持するセキュリティキーボックス装置１００に対応したＩＤカードに記憶された情報を読取るものである。ＩＤカードには、カード識別情報などが記憶されている。カード情報取得部１０２は、カードリーダ１０１によって読込まれたカード識別情報を取得するものである。
【００３１】
検知情報受信部１０３は、警備装置２００が備えるセンサ２０１が異常を検知したときに送信する検知情報を受信するものである。検知情報には、センサ識別情報が含まれている。
【００３２】
異常判定部１０４は、識別情報データベース１５０から、カード情報取得部１０２によって取得されたカード識別情報に対応するセンサ識別情報を取得し、検知情報受信部１０３がセンサ識別情報に対応するセンサ２０１からの検知情報を受信したか否かを判定するものである。すなわち、利用者が所持しているＩＤカードに対応する警備エリア内のセンサが異常を検知しているか否かを判定する。
【００３３】
音声出力制御部１０５は、音声出力部１０６から音声メッセージを出力するよう制御するものである。音声出力部１０６は、音声メッセージを出力するものである。ここで、音声メッセージとは、人の声や、ブザー音などの聴覚により異常を報知するものをいう。表示制御部１０７は、表示部１０８に表示メッセージを出力するよう制御するものである。ここで、表示メッセージとは、文字、アイコン、図形、絵などの視覚により異常を報知するものをいう。表示部１０８は、表示メッセージを出力するものである。例えば、液晶パネルなどを用いる。
【００３４】
小扉部１１０は、後述する警備モード切替指示部１１２を覆うように設置された扉であり、扉は開錠、開放、および施錠することができる。小扉部１１０が開錠された場合にのみ、警備モード切替指示部１１２に対して操作することができ、小扉部１１０が施錠されている場合は、警備モード切替指示部１１２を操作することができない。小扉制御部１０９は、小扉部１１０を開錠、開放または施錠するよう制御するものである。さらに、小扉制御部１０９は異常判定部１０４がセンサ識別情報に対応するセンサ２０１からの検知情報を受信していないと判定した場合は、識別情報データベース１５０から、カード識別情報に対応する小扉識別情報を取得し、取得された小扉識別情報に対応する小扉部１１０の扉を開錠、開放するよう制御するものである。
【００３５】
警備モード切替指示部１１２は、セキュリティキーボックス装置の内部に小扉部１１０によって覆われて設置され、警備モード切替鍵を用いて警備モードの切替を指示するものである。例えば、警備モード切替鍵がＩＣタグの場合は、警備モード切替指示部１１２に挿入することによって警備状態の指示となり、警備モード切替指示部１１２から抜き取ることにより、警備解除状態の指示となる。また、警備モード切替鍵が鍵の場合は、鍵穴に鍵を差し込んだ後、警備状態側に回せば、警備状態の指示となり、警備解除状態側に回せば、警備解除状態の指示となる。なお、警備モード切替鍵を警備エリアの出入口鍵をキーリング等で結着しておくことによって、警備モード切替鍵を警備モード切替指示部１１２に挿入した場合に出入口鍵を一緒に小扉部１１０内に格納することができる。
【００３６】
警備モード切替指示取得部１１１は、警備モード切替指示部１１２の操作による警備モードの切替指示を取得するものである。警備モード切替指示送信部１１３は、警備モード切替指示取得部１１１によって取得された警備モードの切替指示を警備装置２００に送信するものである。
【００３７】
警備装置２００は、セキュリティキーボックス装置１００から送信された警備モードの切替指示に従って、警備エリアごとの警備モードを切替える。警備装置２００は、警備状態が設定されている警備エリア内のセンサ２０１から検知情報を受信した場合には、監視センタ３００に警報を送信する。
【００３８】
次に、以上のように構成されているセキュリティキーボックス装置１００による警備モード切替処理について説明する。図３−１、図３−２は、カード情報取得部、検知情報受信部、異常判定部、音声出力制御部、表示制御部、小扉制御部、警備モード切替指示取得部、警備モード切替指示送信部が行う警備モード切替処理手順を示すフローチャートである。
【００３９】
まず、利用者が所持しているＩＤカードをカードリーダ１０１に接触させるまたはカードリーダ１０１の近傍に近づけることによって、ＩＤカードに記憶された情報をカードリーダ１０１が読取る（ステップＳ３０１）。図４は、セキュリティキーボックス装置の各部の配置の一例を示す説明図である。例えば、図４に示すカードリーダ１０１にＩＤカードを接触させることによってＩＤカードに記憶された情報が読込まれる。
【００４０】
カード情報取得部１０２は、カードリーダ１０１によって読込まれた情報からカード識別情報を取得する（ステップＳ３０２）。異常判定部１０４は、識別情報データベース１５０から、カード情報取得部１０２によって取得されたカード識別情報に対応付けて記憶されているセンサ識別情報を取得する（ステップＳ３０３）。例えば、図２を参照すると、カード識別情報が“Ｃ０１１”の場合、センサ識別情報として“Ｓ１１１”、“Ｓ１１２”が取得される。
【００４１】
異常判定部１０４は、取得したセンサ識別情報に対応するセンサからの検知情報を検知情報受信部１０３が受信しているか否かを判断する（ステップＳ３０４）。取得したセンサ識別情報に対応するセンサ２０１からの検知情報を検知情報受信部１０３が受信していると判断した場合、すなわち警備状態に切替えようとしている警備エリア内のセンサ２０１によって異常が検知されている場合は（ステップＳ３０４：Ｙｅｓ）、音声出力制御部１０５が音声出力部１０６から警告の音声メッセージを出力するよう制御する（ステップＳ３０５）。例えば、警備エリア内のベランダ窓の開閉を検知するセンサから検知情報が送信されている場合は、“ベランダ窓が開いています。確認してください。”などの音声メッセージを出力する。
【００４２】
次に、表示制御部１０７は、表示部１０８から警告の表示メッセージを出力するよう制御する（ステップＳ３０６）。例えば、“ベランダ窓が開いています。確認してください。”などの文字メッセージを出力する。なお、文字だけでなく、異常を検知しているセンサの位置がわかるような警備エリアの見取り図とセンサの位置を示す画像を表示してもよい。
【００４３】
その後、ステップＳ３０４に戻り、再度センサ２０１からの検知情報の有無を判断し、センサ２０１からの検知情報がないと判断されるまで、処理を繰り返す。なお、ステップＳ３０４に戻る際は、タイマを設け、所定の時間が経過した後にステップＳ３０４に戻るようにしてもよい。
【００４４】
ステップＳ３０４において、センサ識別情報に対応するセンサ２０１からの検知情報を検知情報受信部１０３が受信していないと判断した場合、すなわち警備状態に切替えようとしている警備エリア内のセンサ２０１によって異常が検知されていない場合は（ステップＳ３０４：Ｎｏ）、小扉制御部１０９は、識別情報データベース１５０から、カード識別情報に対応して記憶されている小扉識別情報を取得する（ステップＳ３０７）。例えば、カード識別情報が“Ｃ０１１”の場合、小扉識別情報として“Ｄ０１１”が取得される。
【００４５】
小扉制御部１１０は、小扉識別情報に対応する小扉部１１０を開錠、開放する（ステップＳ３０８）。例えば、図４に示す場合では、警備エリアに対応した１５の小扉部１１０がセキュリティキーボックス装置１００に配置されている。その中で、小扉部１１０ｃが小扉識別情報“Ｄ０１１”に対応する小扉部１１０の場合、小扉部１１０ｃのみが開錠され、扉が開放されることになる。図５は、小扉部の扉を開放した場合の説明図である。小扉部１１０の内部には、警備モード切替指示部１１２が設置されており、小扉部１１０の扉が開錠および開放された場合にのみ、警備モード切替指示部１１２を操作することによって警備モードを切替えることができる。
【００４６】
図６は、警備モード切替鍵を警備モード切替指示部に挿入した場合の説明図である。利用者は、警備モード切替鍵６１を、警備モード切替指示部１１２に挿入する。警備モード切替鍵６１は、警備エリアの出入口鍵６２と結着されているため、警備モード切替鍵６１を警備モード切替指示部１１２に挿入することによって、警備エリアの出入口鍵６２も小扉部１１０内に収納することができる。
【００４７】
警備モード切替指示取得部１１１は、警備モード切替指示部１１２に警備モード切替鍵が挿入される操作により、警備状態解除状態から警備状態への切替指示を取得する（ステップＳ３０９）。次に、利用者は、小扉部１１０の扉を閉じる。小扉制御部１０９は、小扉部１１０の扉が閉じられたことをトリガーとして、小扉部１１０の扉を施錠する（ステップＳ３１０）。
【００４８】
警備モード切替指示送信部１１３は、識別情報データベース１５０から、小扉識別情報に対応して記憶されている警備エリア識別情報を取得する（ステップＳ３１１）。例えば、小扉識別情報が“Ｄ０１１”の場合、警備エリア識別情報として“Ａ００１”が取得される。警備モード切替指示送信部１１３は、警備エリアの切替指示を警備装置２００に送信する（ステップＳ３１２）。例えば、警備エリア識別情報“Ａ００１”と警備状態への切替指示とが警備装置２００に送信される。警備装置２００では、セキュリティキーボックス装置１００から送信された切替指示情報に従って、警備エリア識別情報“Ａ００１”に対応する警備エリアを警備解除状態から警備状態に切替える。
【００４９】
このように、警備モードを警備解除状態から警備状態に切替える際に、警備エリアでセンサが異常を検知している場合には、警備エリアに対応する小扉部の扉が開かず、警備状態に切替えることができないため、窓の閉め忘れなどによる誤報を確実に防止することができる。
【００５０】
また、警備解除状態から警備状態に切替えようとする警備エリア内のセンサ２０１が異常を検知していない場合にのみ、小扉部の扉が開錠および開放され、警備状態への切替が可能となるため、誤報を送信することなく、警備状態への切替を行うことができる。
【００５１】
なお、上述した実施の形態では、セキュリティキーボックス装置１００と警備装置２００を別の装置として構成したが、セキュリティキーボックス装置１００の機能、構成を警備装置２００に含めた構成としてもよい。
【図面の簡単な説明】
【００５２】
【図１】本実施の形態にかかるセキュリティキーボックス装置を含む監視システムの構成を示すブロック図である。
【図２】識別情報データベースのデータ構成の一例を示す説明図である。
【図３−１】カード情報取得部、検知情報受信部、異常判定部、音声出力制御部、表示制御部、小扉制御部、警備モード切替指示取得部、警備モード切替指示送信部が行う警備モード切替処理手順を示すフローチャートである。
【図３−２】カード情報取得部、検知情報受信部、異常判定部、音声出力制御部、表示制御部、小扉制御部、警備モード切替指示取得部、警備モード切替指示送信部が行う警備モード切替処理手順を示すフローチャートである。
【図４】セキュリティキーボックス装置の各部の配置の一例を示す説明図である。
【図５】小扉部の扉を開放した場合の説明図である。
【図６】警備モード切替鍵を警備モード切替指示部に挿入した場合の説明図である。
【符号の説明】
【００５３】
１０  監視システム
１００  セキュリティキーボックス装置
１０１  カードリーダ
１０２  カード情報取得部
１０３  検知情報受信部
１０４  異常判定部
１０５  音声出力制御部
１０６  音声出力部
１０７  表示制御部
１０８  表示部
１０９  小扉制御部
１１０  小扉部
１１１  警備モード切替指示取得部
１１２  警備モード切替指示部
１１３  警備モード切替指示送信部
１５０  識別情報データベース
２００  警備装置
２０１  センサ
３００  監視センタ
４００  ネットワーク
【図１】
2007272386.tif 000003
【図２】
2007272386.tif 000004
【図３−１】
2007272386.tif 000005
【図３−２】
2007272386.tif 000006
【図４】
2007272386.tif 000007
【図５】
2007272386.tif 000008
【図６】
2007272386.tif 000009